(57)【要約】【課題】内蔵メモリや外部メモリカードを記憶媒体とする携帯情報端末において、画像データの表示やコピー、移動を行うための画像管理端末および画像管理方法に関する。【解決手段】内蔵メモリと外部メモリカードに記憶された画像データを縮小し、どの領域に記憶されたものかを視覚的に識別するための画像を合成表示する。また、コピーあるいは移動を行うためのキーを設け、サムネイル上で画像データを選択した状態でキーを押下した場合、内蔵メモリと外部メモリカードの間で記憶されている領域とは異なる領域へ移動、あるいはコピーする。【選択図】図７
2005223576.tif 000002
【特許請求の範囲】
【請求項１】
画像ファイルを内部に格納するための内蔵メモリと、
外部のメモリカードとの入出力を行うメモリカードインタフェース部と、
画像ファイルを読み書きするためのファイル管理部と、
前記画像ファイルに対応するサムネイル画像を復号化する画像処理部と、
前記サムネイル画像を表示するための画像出力部とを備え、
前記画像処理部は、前記画像ファイルが内蔵メモリに記憶されているか、外部メモリカードに記憶されているかに応じて、記憶領域の違いを区別するための付随情報を付加し、前記画像出力部から付随情報を付加した状態で表示すること
を特徴とする情報端末。
【請求項２】
前記付随情報はアイコンであり、縮小された画像にアイコンを付加して表示することを特徴とする請求項１に記載の情報端末。
【請求項３】
前記付随情報はアイコンであり、縮小された画像を色付けして囲むことを特徴とする請求項１に記載の情報端末。
【請求項４】
表示されたサムネイル画像データのなかから、ユーザによって任意の画像が選択された場合、対応する画像ファイルを制御する画像制御手段とを備える請求項１または２または３のいずれかに記載の情報端末。
【請求項５】
前記画像制御手段において、対応する画像ファイルを表示画面サイズに合わせて拡大縮小表示することを特徴とする請求項４に記載の情報端末。
【請求項６】
前記画像制御手段において、対応する画像ファイルを画像ファイルが記憶されている領域とは異なる領域へ移動またはコピーすることを特徴とする請求項４に記載の情報端末。
【請求項７】
画像ファイルに対応するサムネイル画像を復号化する画像処理ステップと、
前記画像ファイルが内蔵メモリに記憶されているか、外部メモリカードに記憶されているかに応じて、記憶領域の違いを区別するための付随情報を付加する付随情報付加ステップと、
同時に複数の画像を付随情報を付加した状態で表示するサムネイル表示ステップと、
を含むことを特徴とする画像管理方法。
【請求項８】
表示されたサムネイル画像データのなかから、ユーザによって任意の画像が選定された場合、対応する画像ファイルを当該画像ファイルが記憶されている領域とは異なる領域へ移動またはコピーする画像操作ステップを含むことを特徴とする請求項７に記載の画像管理方法。
【発明の詳細な説明】
【技術分野】
【０００１】
本発明は、携帯情報端末および画像管理方法に関し、特に内蔵メモリと外部メモリカードを記憶媒体とするカメラ付き携帯電話やデジタルスチルカメラを用いて、撮影した画像データの表示やコピー、移動を行うための携帯情報端末および画像管理方法に関する。
【背景技術】
【０００２】
近年、カメラ付き携帯電話が普及している。特に、撮影した画像データをパソコンで管理したり、DPE(Development Printing Enlargement)サービスを利用して印刷したり、ユーザ同士で交換したりするために、外部メモリカードを記憶媒体として採用する携帯電話が増えつつある。
【０００３】
また、撮影した画像データは携帯電話本体に内蔵されるメモリと外部メモリカードの両方に記憶できるものが一般的であり、撮影した画像データは内蔵メモリとメモリカードの間でコピーあるいは移動が可能である。
【０００４】
さらに、カメラ付き携帯電話だけではなく、デジタルスチルカメラやPDA(Personal Digital Assistant)などの携帯情報端末においても外部メモリカードを利用する場合が多い。また画像データを表示する際に、例えば、表示装置の左半分に内蔵メモリに格納されている各画像データのサムネイル画像を表示し、表示装置の右半分にメモリカードに格納されている各画像ファイルのサムネイル画像を表示することで参照先を切り替える手間を省き、所望の画像を容易に見つけ出せる携帯情報端末もある。（特許文献１参照）
【特許文献１】特開２００２−０２４０６４号公報
【発明の開示】
【発明が解決しようとする課題】
【０００５】
しかしながら、従来の携帯電話で撮影した画像データを閲覧する場合には、参照先を内蔵メモリと外部メモリカードとで選択する必要がある。この場合、携帯電話に搭載されるカーソルキーを用いてメニュー画面を選択し、参照先を内蔵メモリとメモリカードとの間で切り替えるという手順を行わなければならない。
【０００６】
さらに、所望の画像ファイルがどちらに記憶されているかを覚えていない場合が多く、内蔵メモリと外部メモリカードの両方を参照しなければならないこともある。
さらに、画像データを移動またはコピーする場合には、まず所望の画像データをカーソルキー等で選択し、メニュー画面を開いて「移動」または「コピー」を選択し、さらに移動先を選択するという手順が必要であった。
【０００７】
また、前記特許文献１の方法では、表示装置の解像度が低い、あるいは表示装置のサイズが小さい場合にはユーザの視認性が失われてしまうという課題があった。
【０００８】
そこで本発明は、内蔵メモリと外部メモリカードのように複数領域で画像データを管理できる情報端末において、ユーザが手間をかけることなく、記憶された画像データを閲覧、あるいは移動、コピーなどの操作ができるようにすることを目的とする。
【課題を解決するための手段】
【０００９】
従来の課題を解決するため、本発明の情報端末は、内蔵メモリと外部メモリカードに記憶された画像データを縮小し、どの領域に記憶されたものかを視覚的に識別するための表示手段を加え、表示装置への表示が可能な限りサムネイルとして表示するように構成したものである。
【００１０】
また、コピーあるいは移動を行うためのキーを設け、サムネイル上で画像データを選択した状態でキーを押下した場合、内蔵メモリと外部メモリカードの間で記憶されている領域とは異なる領域へ移動、あるいはコピーするように構成したものである。
【発明の効果】
【００１１】
本発明の情報端末は、内蔵メモリと外部メモリカードに記憶された画像データを同時に表示することで、参照領域の切り替え操作を不要とし、かつどの領域に記憶されたものかを視覚的に識別することができる。
【００１２】
また、内蔵メモリと外部メモリカードに記憶された画像データを相互に移動、あるいはコピーするための操作をワンボタンで行うことができる。
【発明を実施するための最良の形態】
【００１３】
以下、本発明の実施の形態を、図面を参照しながら説明する。
（実施の形態１）
図１は、本発明の実施の形態における携帯情報端末の機能構成を示す構成図である。
携帯情報端末１は、端末を制御するためのCPU(Central Processing Unit)３を備え、画像データをデコードしたり、縮小・拡大したりするための画像処理部４や、画像データの保存や消去などを行うためのファイル管理部５を備える。ファイル管理部５は画像データを内蔵メモリ６内の画像記憶領域７に格納する。画像データの記憶手段としては、さらにメモリカード２を利用することができ、ファイル管理部５はメモリカード２内にも画像記憶領域１２を作成する。携帯情報端末１にはメモリカード２に画像データを読み書きするためのメモリカードインタフェース８を備える。また、ユーザによる画像データの選択やコピー、移動などの操作を行うための入力部９を備え、画像データや画像データを縮小して並べたサムネイル画像、あるいは選択カーソルなどを視覚的に表示するための画像出力部１０を備える。さらに撮影装置１１を備え、外部の映像を入力し、デジタル化することができる。
【００１４】
図２は、図１における入力部９の具体例を示したものである。キー２２からキー２５はおもにカーソルキーとして働き、画像出力部１０に表示される選択カーソル（図示せず）を、キー２２で上、キー２３で下、キー２４で左、キー２５で右へ移動させることができる。
【００１５】
携帯情報端末１の撮影装置１１を用いて撮影した画像データは、ファイル管理部５によって内蔵メモリ６内の画像記憶領域７に格納される。さらにメモリカード２を利用することも可能であり、この場合にはメモリカード２内に画像記憶領域１２を作成する。カメラファイルシステム規格のDCF (Design rule for Camera File system)を利用する場合には、図３に示すようなディレクトリ構成となり、DCFイメージルートディレクトリ(DCIM)３０に作成される端末固有のディレクトリ３１が画像記憶領域１２に相当する。撮影した画像データを記録する際には、ファイル３２「PANA0001.JPG」やファイル３３「PANA0002.JPG」のように前半４桁の携帯情報端末１を示す名前と後半４桁の連番とで表す。また、DCF規格によるファイル構造には、画像データを縮小したサムネイル画像データを格納する領域が設けられているため、画像処理部４によって画像を縮小して格納する。
【００１６】
撮影した画像データを内蔵メモリ６とメモリカード２のどちらに格納するかは、固定してもよいし、ユーザに選択させてもよい。
【００１７】
撮影したデータを閲覧する場合のフローを図４から図６に示す。撮影した画像データは携帯情報端末１の画像出力部１０に可能な限り縮小画像を一覧表示する。
【００１８】
図４は、内蔵メモリ６の画像記憶領域７に格納された画像データを表示するフローを示す。まず、画像出力部１０に表示することが可能かどうかを判定し（ステップＳ４０）、表示可能枚数を上回っている場合には検索表示を終了する。表示が可能であれば、次に表示すべき画像データがあるかどうかを判定し（ステップＳ４１）、表示すべき画像データがある場合には縮小画像を表示する（ステップＳ４２）。DCF規格の場合には既にファイルに格納された縮小画像を表示すればよいし、そうでない場合には、画像処理部４によって縮小して表示する。以降、ステップＳ４０に戻り、表示可能な限り繰り返される。内蔵メモリに画像データがなくなった場合には、次にメモリカードが携帯情報端末１に挿入されているかどうかを判定し（ステップＳ４３）、挿入されている場合にはメモリカード２内の端末固有ディレクトリ３１を検索し、そうでない場合には検索表示を終了する。
【００１９】
図５は、メモリカード２内の端末固有ディレクトリ３１に格納される、携帯情報端末１の撮影装置１１によって撮影された画像データを表示するフローを示す。まず、メモリカード２内に端末固有ディレクトリ３１があるかどうかを判定する（ステップＳ５０）。存在する場合には、画像出力部１０に表示することが可能かどうかを判定する（ステップＳ５１）。表示が可能であれば、端末固有ディレクトリ３１に表示すべき画像データがあるかどうかを判定する（ステップＳ５２）。表示すべき画像データがある場合には、縮小画像とともに、画像データがメモリカードに格納されていることを示す画像を合成表示する（ステップＳ５３）。以降、ステップＳ５１に戻り、表示可能な限り繰り返される。端末固有ディレクトリ３１に画像データがなくなった場合、または端末固有ディレクトリ３１が存在しない場合には、他の端末で撮影された画像データ用のディレクトリが存在するかどうかを判定後（ステップＳ５４）、存在する場合には、他のディレクトリ検索を行い、存在しない場合には検索表示を終了する。
【００２０】
図６は、メモリカード２内に他の端末で撮影された画像データ用のディレクトリが存在する場合の画像データを表示するフローを示す。まず、画像出力部１０に表示することが可能かどうかを判定する（ステップＳ６０）。表示が可能であれば、表示すべき画像データがあるかどうかを判定する（ステップＳ６１）。表示すべき画像データがある場合には、縮小画像とともに、画像データがメモリカードに格納されていることを示す画像を合成表示する（ステップＳ６２）。以降、ステップＳ６０に戻り、表示可能な限り繰り返される。表示可能枚数を超えた、あるいは画像データがこれ以上存在しない場合には検索表示を終了する。
【００２１】
図７は、画像出力部１０に４枚のサムネイル画像を表示した例であり、右の２枚には記憶領域の違いを区別するための付随情報として、メモリカードに格納されていることを示すカード型の枠７０で囲っている。
【００２２】
また、一覧表示されたサムネイル画像から所望の画像を選択するためには、図２のカーソルキー２２から２５を利用する。図７に示すように左上の画像に選択カーソル７１を置いた状態でキー２３を押下すると、図８のように左下の画像に選択カーソル７１が移動し、キー２５を押下した場合には、図９のように右上の画像に選択カーソル７１が移動する。
【００２３】
サムネイル画像から元の画像を閲覧する場合には、選択カーソル７１を所望の画像に置いた状態でキー２１を押下する。このとき、画像出力部１０のサムネイル画像を消し、該当する画像データを表示する。
【００２４】
また、所望の画像を内蔵メモリとメモリカードとの間でコピー、または移動する場合には、キー２１とは別のキー、たとえばキー２６やキー２７を押下した場合に格納されている領域とは別の領域に画像データをコピー、または移動する。例えば、図９のように右上の画像に選択カーソル７１を置いた状態で移動するためのキー（たとえばキー２６やキー２７）を押下すると、メモリカードに格納された右上の画像は内蔵メモリに移動する。この場合、メモリカードに格納されていることを示すために表示していたカード型の枠７０は、図１０のように表示がなくなる。
【００２５】
なお、メモリカードに格納されていることを示すために表示していたカード型の枠７０は、図１１のアイコン７３やアイコン７４のような形でサムネイル画像と合成して表示しても良い。メモリカードスロットが２つ以上存在する場合には、アイコン７３が示す画像データはスロット２のメモリカードに、アイコン７４が示す画像データはスロット１、というように区別して管理することができる。
【００２６】
なお、図４から図６のフローは内蔵メモリ６、メモリカード２の順に検索しながら随時表示する方法を示しているが、メモリカード２、内蔵メモリ６の順でも構わないし、両方の検索を終了し、日付け順や名前順などに並び替えをした後で表示するようにしても構わない。
【００２７】
なお、メモリカード２はSDメモリカード、マルチメディアカード、コンパクトフラッシュ（Ｒ）、xDピクチャカード、メモリースティック、スマートメディアなどが考えられる。
【００２８】
なお、携帯情報端末１は携帯電話、デジタルスチルカメラ、PDAなどが考えられる。さらに、携帯情報端末１の代わりに、DVDハードディスクレコーダやメモリカードスロットを搭載するDVDレコーダなどの記憶領域を複数所有するAV機器などであってもよい。この場合、撮影装置１１は必須ではなく、複数の領域に画像データを含む場合を想定している。
【産業上の利用可能性】
【００２９】
本発明にかかる情報端末、および画像管理方法は、画像データ参照領域の切り替え操作を不要とし、かつどの領域に記憶されたものかを視覚的に識別することができ、さらに画像データを相互に移動、あるいはコピーするための操作をワンボタンで行うことができるため、特に外部メモリカードを記憶媒体とするカメラ付き携帯電話等を用いて画像管理を行うのに適している。
【図面の簡単な説明】
【００３０】
【図１】本発明のー実施形態に係る携帯情報端末の構成を示すブロック図
【図２】図1に示す携帯情報端末１の入力部９を具体的に示す図
【図３】図１に示すメモリカード２に作成される画像データを記録するためのディレクトリ構成を示す図
【図４】本実施形態において内蔵メモリに格納される画像データを検索する際における動作を示すフローチャート
【図５】本実施形態においてメモリカードの端末固有ディレクトリに格納される画像データを検索する際における動作を示すフローチャート
【図６】本実施形態においてメモリカードの他のディレクトリに格納される画像データを検索する際における動作を示すフローチャート
【図７】図１に示す携帯情報端末１の画像出力部１０にサムネイル画像一覧を表示した例を示す図
【図８】図７に示すサムネイル画像一覧からカーソル枠７１を下に移動した例を示す図
【図９】図7に示すサムネイル画像一覧からカーソル枠７１を右に移動した例を示す図
【図１０】図９に示すサムネイル画像一覧から右上の画像を内蔵メモリに移動した場合の表示例を示す図
【図１１】図７に示すサムネイル画像一覧において、記憶領域の違いを区別するための付随情報をアイコンに置き換えた場合の表示例を示す図
【符号の説明】
【００３１】
１    携帯情報端末
２    メモリカード
３    ＣＰＵ
４    画像処理部
５    ファイル管理部
６    内蔵メモリ
７    画像記憶領域
８    メモリカードインタフェーイス
９    入力部
１０    画像出力部
１１    撮像装置
１２    画像記憶領域
７０    記憶領域の違いを区別するための付随情報
７１    カーソル枠
【図１】
2005223576.tif 000003
【図２】
2005223576.tif 000004
【図３】
2005223576.tif 000005
【図４】
2005223576.tif 000006
【図５】
2005223576.tif 000007
【図６】
2005223576.tif 000008
【図７】
2005223576.tif 000009
【図８】
2005223576.tif 000010
【図９】
2005223576.tif 000011
【図１０】
2005223576.tif 000012
【図１１】
2005223576.tif 000013